(57)【要約】【課題】被写体がフレームアウトしやすい場面においても充分な撮影フレーム調整をすることができる撮像装置を提供する。【解決手段】上記課題を解決するために本発明の撮像装置は、被写体像のズーム倍率を変更するズーム部と、ズーム部がズーム倍率を変更する速度を調節するズーム速度調節部と、被写体像を撮像して画像データを生成する撮像部と、表示画面を有し画像データを出力する表示部と、被写体を指定する指定手段と、指定された被写体の表示画面上の位置に応じて、ズーム倍率を変更する速度を調節するようズーム速度調節部を制御する制御部とを備える。【選択図】図４
2011188172.tif 000002
【特許請求の範囲】
【請求項１】
被写体像のズーム倍率を変更するズーム部と、
前記ズーム部がズーム倍率を変更する速度を調節するズーム速度調節部と、
被写体像を撮像して画像データを生成する撮像部と、
表示画面を有し、画像データを出力する表示部と、
被写体を指定する指定手段と、
指定された被写体の前記表示画面上の位置に応じて、ズーム倍率を変更する速度を調節するよう前記ズーム速度調節部を制御する制御部と、
を備えた撮像装置。
【請求項２】
前記制御部は、指定された被写体が前記表示画面の外周付近の第一の領域に位置するときは、前記第一の領域の内側の第二の領域に位置するときよりもズーム倍率を変更する速度が速くなるよう前記ズーム速度調節部を制御する、
請求項１に記載の撮像装置。
【請求項３】
前記制御部は、前記第二の領域の内側の第三の領域に指定された被写体が位置するときは、ズームしないように前記ズーム速度調節部を制御する、
請求項２に記載の撮像装置。
【発明の詳細な説明】
【技術分野】
【０００１】
本発明は撮像装置に関し、特に被写体をズーム調節可能な撮像装置に関する。
【背景技術】
【０００２】
光学ズーム機能を最適倍率に自動調整可能なカメラが知られている。例えば、特許文献１は、予め複数の被写体が撮影対象として登録されている状態において、撮影フレーム内の画像を解析することによって当該フレーム内に全ての登録被写体が含まれているか否かを認識し、全ての登録被写体が含まれていない場合にはズーム倍率を下げる方向へ光学ズーム機能を調整し、全ての登録被写体が含まれている場合にはズーム倍率を上げる方向へ光学ズーム機能を調節するカメラを開示している。これにより指定被写体をフレーム内に収めた最適な倍率に調整することができるとしている。
【先行技術文献】
【特許文献】
【０００３】
【特許文献１】特開2005-269153号公報
【発明の概要】
【発明が解決しようとする課題】
【０００４】
特に被写体が表示画面の外周付近に位置しているときは、被写体の移動などに伴って、被写体が表示画面からフレームアウトしやすい。しかしながら、特許文献１に記載のカメラは、被写体が外周付近に位置していようが、中央付近に位置していようが関係なく、全ての登録被写体が撮影フレーム内にすべて含まれているか否かを判定する。そのため、フレームアウトしやすい場面において充分な撮影フレームの調整ができなかった。
【０００５】
本発明は上記課題を鑑みてなされたものであり、被写体がフレームアウトしやすい場面においても充分な撮影フレーム調整をすることができる撮像装置を提供することを目的とする。
【課題を解決するための手段】
【０００６】
上記課題を解決するために本発明の撮像装置は、被写体像のズーム倍率を変更するズーム部と、ズーム部がズーム倍率を変更する速度を調節するズーム速度調節部と、被写体像を撮像して画像データを生成する撮像部と、表示画面を有し画像データを出力する表示部と、被写体を指定する指定手段と、指定された被写体の表示画面上の位置に応じて、ズーム倍率を変更する速度を調節するようズーム速度調節部を制御する制御部とを備える。
【発明の効果】
【０００７】
本発明によれば、被写体がフレームアウトしやすい場面においても充分な撮影フレーム調整をすることができる撮像装置を提供することができる。
【図面の簡単な説明】
【０００８】
【図１】デジタルカメラ１００の電気的構成図
【図２】デジタルカメラ１００の背面構成図
【図３】デジタルカメラ１００の動作フローチャート
【図４】デジタルカメラ１００のズーム動作を説明するための図
【発明を実施するための形態】
【０００９】
〔実施の形態１〕
実施の形態１に係るデジタルカメラ１００は、液晶ディスプレイ１２３に指定被写体が常に含まれるようにズーム機能を自動調節することができる。これにより、デジタルカメラ１００は、ユーザーの意図しないフレームアウトを防ぐことができる。以下、デジタルカメラ１００の構成および動作を説明する。
【００１０】
〔１．構成〕
以下図を用いてデジタルカメラ１００の構成を説明する。
【００１１】
〔１−１．デジタルカメラ１００の構成〕
図１は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは、ＡＦＥ（アナログ・フロント・エンド）１２１や画像処理部１２２において各種処理が施される。生成された画像データはフラッシュメモリ１４２やメモリカード１４０に記録される。フラッシュメモリ１４２やメモリカード１４０に記録された画像データは、使用者による操作部１５０の操作を受け付けて液晶ディスプレイ１２３上に表示される。
【００１２】
図２は、デジタルカメラ１００の背面構成図である。デジタルカメラ１００は、上面にレリーズ釦１７０、ズームレバー１７１、電源釦１７２などの操作釦を備える。また、デジタルカメラ１００は、背面に選択釦１７３、決定釦１７４、ディスプレイ釦１７５、モードダイアル１７６などの操作釦や、液晶ディスプレイ１２３を備える。
【００１３】
光学系１１０は、フォーカスレンズ１１１やズームレンズ１１２、絞り１１３、シャッタ１１４等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１４】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。
【００１５】
フォーカスモータ１１５は、コントローラ１３０から通知された制御信号に従ってフォーカスレンズ１１１を光軸に沿って進退駆動させる駆動手段である。ズームモータ１１６は、コントローラ１３０から通知された制御信号に従ってズームレンズ１１２を光軸に沿って進退駆動させる駆動手段である。絞りモータ１１７は、コントローラ１３０から通知された制御信号に従って絞り１１３を開閉駆動させる駆動手段である。シャッタモータ１１６は、コントローラ１３０から通知された制御信号に従ってシャッタ１１４を開閉駆動させる駆動手段である。これらの駆動手段は、ＤＣモータやステッピングモータ等により実現できる。
【００１６】
ＣＣＤイメージセンサ１２０は、光学系１１０を通して形成された被写体像を撮像して画像データを生成する。ＣＣＤイメージセンサ１２０の受光面には多数のフォトダイオードが２次元的に配列されている。また、各フォトダイオードに対応してＲ、Ｇ、Ｂの原色カラーフィルタが所定の配列構造で配置されている。撮像対象となる被写体からの光は、光学系１１０を通過した後に、ＣＣＤイメージセンサ１２０の受光面に結像される。結像された被写体像は、各フォトダイオードへ入射した光量に応じてＲ、Ｇ、Ｂに仕分けられたそれぞれ色情報に変換される。その結果、被写体像を示す全体の画像データが生成される。ＣＣＤイメージセンサ１２０は、所定のフレームレート（例えば、３０フレーム／秒）で新しいフレームの画像データを生成する。また、ＣＣＤイメージセンサ１２０は、プレビュー表示においては電子シャッタ動作により露出光量を調節する。ＣＣＤイメージセンサ１２０の画像データ生成タイミングおよび電子シャッタ動作は、コントローラ１５０によって制御される。この画像データをスルー画像として逐一表示部１７０にプレビュー表示することにより、ユーザーはリアルタイムに被写体の状況を表示部１７０で確認できる。
【００１７】
ＡＦＥ１２１は、ＣＣＤイメージセンサ１２０が生成した画像データに対して、相関二重サンプリングによる雑音抑圧、アナログゲインコントローラによるＡＤコンバータ１３３の入力レンジ幅への増幅、ＡＤコンバータによるＡＤ変換を施す。その後、ＡＦＥ１２１は、画像データを画像処理部１２２に出力する。
【００１８】
画像処理部１２２は、ＡＦＥ１２１から出力された画像データに対して各種の処理を施す。各種処理としては、スミア補正、ホワイトバランス補正、ガンマ補正、ＹＣ変換処理、電子ズーム処理、圧縮処理、伸張処理等などが挙げられるが、これらに限定されるものではない。
【００１９】
液晶ディスプレイ１２３は、デジタルカメラ１００の背面に備わる。液晶ディスプレイ１２３は、画像処理部１２２にて処理された画像データに基づく画像を表示する。液晶ディスプレイ１２３が表示する画像には、スルー画像や記録画像がある。液晶ディスプレイ１２３は、ＣＣＤイメージセンサ１２０により一定時間毎に生成される画像をスルー画像として略リアルタイムで表示する。ユーザーは、液晶ディスプレイ１２３に表示されるスルー画像を参照することにより、被写体の構図を確認しながら撮影できる。記録画像は、メモリカード１４０やフラッシュメモリ１４２に記録された画像である。液晶ディスプレイ１２３は、ユーザーの操作に応じて、すでに記録した画像データに基づく画像を表示する。液晶ディスプレイ１２３はこの他、デジタルカメラ１００の各種設定条件等を表示可能である。
【００２０】
コントローラ１３０は、デジタルカメラ１００全体の動作を統括制御する。コントローラ１３０は、プログラム等の情報を格納するＲＯＭや、プログラム等の情報を処理するＣＰＵなどにより構成される。ＲＯＭは、オートフォーカス制御（ＡＦ制御）や自動露出制御（ＡＥ制御）に関するプログラムの他、デジタルカメラ１００全体の動作を統括制御するためのプログラムを格納している。ＲＯＭはコントローラ１３０の内部構成である必要はなく、コントローラ１３０の外部に備わったものでもよい。
【００２１】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。コントローラ１３０は、読み出した焦点距離情報、被写体距離情報、絞り値情報（Ｆ値情報）などを一時的にバッファメモリ１２４に記憶しておき、各種演算において使用する。また、フラッシュメモリ１４２は、画像データ等を記録するための内部メモリとして機能する記憶手段である。
【００２２】
カードスロット１４１は、メモリカード１４０を着脱可能な接続手段である。カードスロット１４１は、メモリカード１４０を電気的及び機械的に接続可能である。また、カードスロット１４１は、メモリカード１２０を制御する機能を備えてもよい。
【００２３】
メモリカード１４０は、内部にフラッシュメモリ等の記憶手段を備えた外部メモリである。メモリカード１４０は、画像処理部１２２で処理される画像データなどのデータを記録可能である。
【００２４】
操作部１５０は、デジタルカメラ１００の外装に備わっている操作釦や操作レバーの総称であり、使用者による操作を受け付ける。例えば図２に示したレリーズ釦１７０や、ズームレバー１７１、電源釦１７２、選択釦１７３、決定釦１７４、ディスプレイ釦１７５、モードダイアル１７６などがこれにあたる。操作部１５０は使用者による操作を受け付けると、コントローラ１３０に種々の動作指示信号を通知する。
【００２５】
レリーズ釦１７０は、二段押下式の押下釦である。レリーズ釦１７０が使用者により半押し操作されると、コントローラ１３０はＡＦ動作やＡＥ動作などを実行する。また、レリーズ釦１７０が使用者により全押し操作されると、コントローラ１３０は、押下操作のタイミングに撮像された画像データを記録画像としてメモリカード１４０等に記録する。
【００２６】
ズームレバー１７１は画角調節についての広角端と望遠端を有する中央位置自己復帰式のレバーである。ズームレバー１７１は、使用者により操作されるとコントローラ１３０にズームレンズ１１２を駆動するための動作指示信号を通知する。すわなち、ズームレバー１７１が広角端に操作されると、コントローラ１３０は、被写体を広角で捉えられるようにズームレンズ１１２を駆動する。同様に、ズームレバー１７１が望遠端に操作されると、コントローラ１３０は、被写体を望遠で捉えられるようにズームレンズ１１２を駆動する。また、ズームレバー１７１操作によりズームレンズ１１２が駆動されると、駆動先のズームレンズ１１２の位置に応じて焦点距離情報がコントローラ１３０に通知される。
【００２７】
電源釦１７２は、デジタルカメラ１００を構成する各部への電力供給をＯＮ/ＯＦＦするための押下式釦である。電源ＯＦＦ時に電源釦１７２が使用者により押下されると、コントローラ１３０はデジタルカメラ１００を構成する各部に電力を供給し、起動させる。また、電源ＯＮ時に電源釦１７２が使用者により押下されると、コントローラ１３０は各部への電力供給を停止する。
【００２８】
選択釦１７３は、上下左右方向に設けられた押下式釦である。使用者は、選択釦１７３のいずれかの方向を押下することにより、液晶ディスプレイ１２３に表示される各種条件項目を選択することができる。
【００２９】
決定釦１７４は、押下式釦である。デジタルカメラ１００が撮影モードあるいは再生モードにあるときに、決定釦１７４が使用者により押下されると、コントローラ１３０は液晶ディスプレイ１２３にメニュー画面を表示する。メニュー画面は、撮影/再生のための各種条件を設定するための画面である。決定釦１７４が各種条件の設定項目が選択されているときに押下されると、コントローラ１３０は、選択された項目の設定を確定する。
【００３０】
ディスプレイ釦１７５は、押下式釦である。ディスプレイ釦１７５が押下されると、コントローラ１３０は所定の画面を表示するよう液晶ディスプレイ１２３を制御する。
【００３１】
モードダイアル１７６は、使用者の操作を受け付ける。使用者はモードダイアル１７６を操作することで、デジタルカメラ１００のモードを切り替えることができる。デジタルカメラ１００のモードには、通常撮影モード、再生モードがある。
撮影モードの中には、いくつかシーンモードが用意されている。シーンモードには、撮影シーンごとに好適な撮影条件等が設定されている。ユーザーは、撮影シーンに応じて、所望のシーンモードを選択することができる。詳細を後述するフレームアウト防止ズームは、シーンモードに含まれるモードの１つで、ユーザーがそのモードを選択することで行われる。
【００３２】
〔１−２．本発明との対応関係〕
ズームレンズ１１２は、本発明のズーム部の一例である。ズームモータ１１６とコントローラ１３０とからなる構成は、本発明のズーム速度調節部の一例である。ＣＣＤイメージセンサ１２０は、本発明の撮像部の一例である。液晶ディスプレイ１２３は、本発明の表示部の一例である。操作部１５０は、本発明の指定手段の一例である。コントローラ１３０は、本発明の制御部の一例である。デジタルカメラ１００は、本発明の撮像装置の一例である。
【００３３】
〔２．動作〕
以下図３、図４を用いてデジタルカメラ１００のフレームアウト防止ズームの動作を説明する。フレームアウト防止ズームは、ユーザーが指定の被写体が液晶ディスプレイ１２３内の外周付近に位置したとき、ユーザーがズームレバー１７１を操作しなくても、常に液晶ディスプレイの中央付近に被写体が位置するように自動でズーム調整を行う。以下、ユーザーによる被写体の指定動作と、フレームアウト防止ズーム動作のそれぞれについて説明する。
【００３４】
まず、ユーザーによる被写体の指定について説明する。ユーザーは、予め被写体である人物の顔をデジタルカメラ１００に登録しておくことができる。例えば、コントローラ１３０は、撮影中に検出した顔の特徴量を抽出して、顔画像と関連付けてフラッシュメモリ１４２に記録しておく。ユーザーは、所定の操作を行うことにより、フラッシュメモリ１４２に記録されている顔画像の中から、フレームアウト防止ズームの対象としたい顔の画像をいずれか１つ指定する。コントローラ１３０は、ユーザーが指定した顔の特徴量が撮影中の画像から検出されたとき、指定された顔の被写体が撮影フレーム内に含まれると判断する。このとき、図４に示すように被写体の顔には顔枠Ｄ４０３が表示され、ユーザーはコントローラ１３０が指定の顔を検出したことを確認することができる。なお、撮影フレーム内に登録された顔が含まれている場合に、その顔をフレームアウト防止ズームの対象として自動的に指定するようにしてもよい。このとき、撮影フレーム内に登録された顔が複数含まれる場合は、ユーザーが予めフレームアウト防止ズームの対象とする顔の優先度を指定しておけば、登録された顔のいずれかを指定することができる。
続いて、図３を用いてフレームアウト防止ズームの動作の詳細を説明する。図３は、実施の形態１に係るデジタルカメラ１００のフレームアウト防止ズームのフローチャートである。
【００３５】
ユーザーがデジタルカメラ１００の電源釦１７２を押すことで、デジタルカメラ１００の液晶ディスプレイ１２３にスルー画像が表示される（Ｓ３００）。
【００３６】
ユーザーがモードダイアル１７６の操作を行うことにより、デジタルカメラ１００のシーンモードの中のフレームアウト防止ズームが選択される。
【００３７】
コントローラ１３０は、液晶ディスプレイ１２３内に指定被写体がいるかどうか判断する（Ｓ３０１）。指定被写体が液晶ディスプレイ１２３内にいる場合、画像処理部１２２が指定被写体の色情報、輝度情報等（顔の特徴量）を用いて計算を行い、どこに顔があるかを検知し、図４（ａ）から図４（ｃ）に示すように液晶ディスプレイ１２３内に指定被写体Ｄ４０４の顔枠Ｄ４０３を表示する（Ｓ３０２）。このときの顔検出方法は周知のいずれの技術を用いてもよい。指定被写体Ｄ４０４が撮影フレーム内で移動したときは、その被写体の移動に伴って顔枠Ｄ４０３も移動する。要するに、顔枠Ｄ４０３は、指定被写体Ｄ４０４の位置を表している。
【００３８】
続いて、コントローラ１３０は、顔枠Ｄ４０３が撮影フレーム内のどの領域にあるかを判断する（Ｓ３０３）。ここで、顔枠Ｄ４０３が撮影フレーム内のどの領域にあるかの判断は、顔枠Ｄ４０３の重心位置がどの領域にあるかで決まるとする。デジタルカメラ１００には、図４に示すように第一の囲領域Ｄ４００、第二の囲領域Ｄ４０１、自由領域Ｄ４０２が存在し、顔枠Ｄ４０３がどの領域にあるかで動作が変化する。
【００３９】
コントローラ１３０が、第一の囲領域Ｄ４００に顔枠Ｄ４０３が位置すると判断した場合を説明する（Ｓ３０４）。図４（a）は、顔枠Ｄ４０３が第一の囲領域に位置している場合である。第一の囲領域Ｄ４００は、液晶ディスプレイ１２３内の外側にあるために、この範囲に含まれる指定被写体はフレームアウトする可能性が高い。そのため、コントローラ１３０は、指定被写体がフレームアウトしてしまわないように早急に対応する必要がある。そこで、この範囲に指定被写体が位置すると、コントローラ１３０が、顔枠Ｄ４０３を元に、ズームモータ１１６に制御信号を通知し、ズームレンズ１１２をＷ側に高速で移動させる（Ｓ３０５）。Ｗ側に移動することで、画角が広くなり、指定被写体は、撮影フレーム内において、外側の位置から内側の位置に移行する。すなわち、指定被写体は、第一の囲領域Ｄ４００より内側にその位置を移行する。
【００４０】
コントローラ１３０が、第二の囲領域Ｄ４０１に顔枠Ｄ４０３が位置すると判断した場合を説明する（Ｓ３０６）。図４（b）は、顔枠Ｄ４０３が第二の囲領域Ｄ４０１に位置している場合である（Ｓ３０６）。第二の囲領域Ｄ４０１に位置する指定被写体もフレームアウトする可能性はあるが、第一の囲領域Ｄ４００と比べるとフレームアウトする可能性は低くなる。指定被写体が第二の囲領域Ｄ４０１に位置するときも、第一の囲領域Ｄ４００に位置するときと同様に高速でズームレンズ１１２を駆動したとする。この場合だと、指定被写体が撮影フレーム内の中央付近から少し移動しただけで第二の囲領域Ｄ４０１に進入し、ズームレンズ１１２が駆動していない状態から、突然ズームレンズ１１２が高速駆動することになる。使用者は、撮影フレームを見ながら被写体の構図を決定しているため、突然ズームレンズ１１２が高速駆動するのは望ましくない。そのため、実施の形態１に係るデジタルカメラ１００では、撮影フレーム内に第一の囲領域Ｄ４００と第二の囲領域Ｄ４０１といった複数の囲領域を設け、指定被写体の位置に応じて段階的にズームレンズ１１２の駆動速度を変化させる。従って、指定被写体が第二の囲領域Ｄ４０１に位置するときは、第一の囲領域Ｄ４００に位置するときよりも低速でズームレンズ１１２を駆動させる。コントローラ１３０は、顔枠Ｄ４０３を元に、ズームモータ１１６に制御信号を通知し、ズームレンズ１１２をＷ側に、第一の囲領域Ｄ４００に位置している場合のズーム速度より遅い速度で移動させる（Ｓ３０７）。Ｗ側に移動することで、画角が広くなり、指定被写体は、撮影フレーム内において、外側の位置から内側の位置に移行する。すなわち、指定被写体は、第二の囲領域Ｄ４００より内側にその位置を移行する。
【００４１】
コントローラ１３０が、自由領域Ｄ４０２に顔枠Ｄ４０３が位置すると判断した場合を説明する図４（c）は、顔枠Ｄ４０３が自由領域Ｄ４０２に位置している場合である（Ｓ３０８）。この領域に位置する指定被写体はフレームアウトする可能性が低い。また、自由領域Ｄ４０２は、撮影フレーム内において中央付近に位置する領域である。指定被写体Ｄ４０４が自由領域Ｄ４０２に位置しているときにズーム駆動したとすると、デジタルカメラ１００は常に動作することとなる。この場合だと、使用者は撮影フレームを見ながら構図を決めるのが困難であるのみならず、電力の消費が大きい。そのため、指定被写体Ｄ４０４が、自由領域Ｄ４０２に位置している場合、コントローラ１３０は、ズームモータ１１６に制御信号を通知せず、ズーム動作は行わない。
【００４２】
コントローラ１３０は、レリーズ釦１７０の押下操作を受け付けるまで、撮影フレーム内の顔枠Ｄ４０３の位置を判断し続ける。つまり、コントローラ１３０は、ステップＳ３０１からステップＳ３０８の動作を繰り返す。例えば、最初、顔枠Ｄ４０３が第一の囲領域Ｄ４００に位置していたとき、コントローラ１３０が、顔枠Ｄ４０３を元に、ズームモータ１１６に制御信号を通知し、ズームレンズ１１２をＷ側に移動させる。Ｗ側に移動すると、顔枠Ｄ４０３は、第一の囲領域Ｄ４００の内側に存在する第二の囲領域Ｄ４０１に位置することになる。顔枠Ｄ４０３が第二の囲領域Ｄ４０１に位置すると、次は、第一のズーム速度より遅い速度で再びＷ側にズームを行い、最終的に自由領域Ｄ４０２内に収まることになる。
【００４３】
コントローラ１３０は、レリーズ釦１７０の押下操作を受け付けると、撮影している画像データをメモリカード１４０に記録する（Ｓ３１０）。以上の動作により、実施の形態１のデジタルカメラ１００は、フレームアウト防止ズームの動作を終了する。
【００４４】
〔他の実施の形態〕
本発明は、上記実施の形態１に係るデジタルカメラ１００に限定されず、様々な他の実施形態が考えられる。以下にまとめて記載する。
【００４５】
上記実施の形態１においては、ズームレンズ１１２とズームモータ１１６による光学ズームで駆動するように構成したが、本発明はこれに限定されない。すなわち、デジタルズームを用いて行っても良い。デジタルズームは、光学ズームよりも高速なズームが可能であるため、指定被写体がフレームアウトしやすい第一の囲領域Ｄ４００においては、デジタルズームを適用するとより効果を奏する。但し、デジタルズームを適用する場合は、Ｗ側にズームする画素数の余裕を持たせるために、フレームアウト防止ズーム動作にモードシフトしたときに、自動的に最大の画素数からは抑えた画素数に設定するのが望ましい。
【００４６】
上記実施の形態１においては、ＣＣＤイメージセンサ１２０を適用した場合で説明したが本発明はこれに限定されない。すなわち、ＣＭＯＳイメージセンサやＮＭＯＳイメージセンサなど他の撮像手段であっても本発明に適用可能である。
【００４７】
上記実施の形態１においては、液晶ディスプレイを適用した場合を説明したが、本発明はこれに限定されない。すなわち、有機ＥＬディスプレイなど他の表示手段であってもよい。
【００４８】
上記実施の形態１においては、顔枠Ｄ４０３が撮影フレーム内のどの領域にあるかの判断は、顔枠Ｄ４０３の重心位置がどの領域にあるかで決まるとしたが、本発明はこれに限定されない。例えば、顔枠Ｄ４０３自体が第一の囲領域Ｄ４００や、第二の囲領域Ｄ４０１に進入したか否かにより判断してもよい。
【００４９】
なお、第一の囲領域Ｄ４００と第二の囲領域Ｄ４０１の大きさ、形は任意で状況に応じて変化させても良い。
【００５０】
以上のように、デジタルカメラ１００によれば、被写体がフレームアウトしやすい場面においても充分な撮影フレーム調整をすることができる。
【産業上の利用可能性】
【００５１】
本発明はデジタルカメラ１００への実施に限定されない。すなわち、ムービーカメラや、カメラ付携帯電話など、ズーム調節可能な撮像装置に本発明は適用可能である。
【符号の説明】
【００５２】
１００    デジタルカメラ
１１１    フォーカスレンズ
１１２    ズームレンズ
１１３    絞り
１１４    シャッタ
１２０    ＣＣＤイメージセンサ
１２１    ＡＦＥ（アナログ・フロント・エンド）
１２２    画像処理部
１２３    液晶ディスプレイ
１２４    バッファメモリ
１３０    コントローラ
１４０    メモリカード
１４１    カードスロット
１４２    フラッシュメモリ
１５０    操作部
１７０    レリーズ釦
１７１    ズームレバー
１７２    電源釦
１７３    選択釦
１７４    決定釦
１７５    ディスプレイ釦
１７６    モードダイアル
【図１】
2011188172.tif 000003
【図２】
2011188172.tif 000004
【図３】
2011188172.tif 000005
【図４】
2011188172.tif 000006